(57)【要約】      （修正有）【課題】パレットを識別するための識別データが表示されたラベルを長期にわたり損傷を受けることなく使用に供することができ、識別データの誤読を防ぎ、安定的な使用を可能とするラベル付パレットを提供する。【解決手段】フォークリフトにより積荷を運搬するためのパレットにおいて、該パレット１の少なくとも一方の端面適所に接着剤を塗布してその接着剤層に透水性を有するシート材からなり識別データ６が表示されたラベル７を貼着し、このラベル７の表面に接着剤８２を塗着して固化させ、ラベル７を接着剤層間に埋没固定する。【選択図】図１
0003157653.tif 000002
【実用新案登録請求の範囲】
【請求項１】
フォークリフトにより積荷を運搬するためのパレットであって、該パレットの少なくとも一方の端面適所に接着剤を塗布してその接着剤層に透水性を有するシート材からなり識別データが表示されたラベルを貼着し、このラベルの表面に接着剤を塗着して固化されていることを特徴とするラベル付きパレット。
【請求項２】
前記パレットのラベル貼着箇所に該ラベルを埋没し得る大きさの凹部が形成され、この凹部内にラベルが貼着されている請求項１記載のラベル付きパレット。
【請求項３】
前記接着剤は４０００ｃｐ（センチポイズ）以下の低粘度である請求項１または２記載のラベル付きパレット。
【請求項４】
前記接着剤は水溶性のエマルジヨンタイプである請求項３記載のラベル付きパレット。
【請求項５】
前記接着剤の塗布はガンによる吹き付けによっている請求項３または４記載のラベル付きパレット。
【請求項６】
前記ラベルの少なくとも表面に塗布する接着剤はつや消し剤が混入されていて反射防止機能を有している請求項１〜５のいずれか１項記載のラベル付きパレット。
【請求項７】
前記ラベルは不織布で構成されている請求項１〜６のいずれか１項記載のラベル付きパレット。
【請求項８】
前記ラベルは通気性を有する紙材で構成されている請求項１〜６のいずれか一項記載のラベル付きパレット。
【請求項９】
前記ラベルは数多の細孔が群設されて透水性が与えられた合成樹脂シート材で構成されている請求項１〜６のいずれか一項記載のラベル付きパレット。
【考案の詳細な説明】
【技術分野】
【０００１】
本考案は、識別データを表示するラベルが貼着されたパレットに関する。
【背景技術】
【０００２】
従来から取り扱う荷物と対応する積荷運搬用パレットには、バーコード、読み取り用パターン等による個有の識別データが表示されたラベルがパレットの端面に貼付され、この識別データをデータ読取番により読み取ることによりパレットを識別するようになされている。
【０００３】
上記従来のラベルの貼布には、このラベルをパレットの端面に強固に固着させるために水飴状、蜂蜜状等の粘度の高い接着剤（約４００００ｃｐ）を塗布し、この接着剤層にラベルを貼り付けて取り付けるようになされている。
【０００４】
そのため接着剤をパレットの端面に塗布するには、接着剤の粘性が高いが故にガンによる吹き付け手段を採ることができず、刷毛やへらにより塗り付けるよりほかなく、したがって作業性、作業能率共に悪いものとなっている。
【０００５】
一方、ラベルの接着性を考慮して不織布からなるラベルを用いることが多いが、このラベルを貼着した場合、パレットを繰り返し使用するとき互いに擦れ合うなどによりラベルの表面が損傷したり、あるいはパレットを温湯で洗浄を繰り返すとき不織布の表面が毛羽立って識別データが読み取れなくなり、誤読の原因になるなどの問題をもたらすことになる。
【０００６】
他方、ラベルをホチキス等の止金で取り付けることも行なわれているが、これによると取り扱う荷物が菓子や薬品などであるとき、この止金が外れて荷物に混入する危険性があり、極めて好ましくない。
【０００７】
このようにパレットに表示される識別データはパソコン等に登録されてカードリーダにより読み取り可能なように５年間程度の長い期間使用されるのでそれに耐え得る耐久性を有することが要求される。
【０００８】
上記問題点の解決手段や要求を満す手段を示す文献は見当らない。
【考案の開示】
【考案が解決しようとする課題】
【０００９】
本考案は、パレットにラベルを強固に貼着して長期間の使用にも十分に耐え得るとともにラベルの表面が損傷を受けることを極力少なくし、識別データの誤読を防ぎ、安定的な使用を可能とするラベル付きパレットを提供することを課題としてなされたものである。
【課題を解決するための手段】
【００１０】
上記課題を解決するための手段として本考案は、パレットの少なくとも一方の端面適所に接着剤を塗布してその接着剤層に透水性を有するシート材からなり識別データが表示されたラベルを貼着し、このラベルの表面に接着剤を塗着して固化させ、ラベルを固定したことにある。
【００１１】
上記ラベルの貼着に関し、パレットのラベル貼着箇所に該ラベルが埋没し得る大きさの凹部を形成し、この凹部内に前記のようにラベルを貼着することが好ましい。
【００１２】
前記接着剤は４０００ｃｐ（センチポイズ）以下の低粘度のものを使用することができる。またこの接着剤は水溶性のエマルジヨンタイプを用いることが望ましい。そしてこれらの接着剤を用いればガンによる吹き付けによる塗布が可能である。
【００１３】
前記ラベルの少なくとも表面に塗布する接着剤はつや消し剤が混入された反射防止機能を付与することが好ましい。前記ラベルのベースには不織布を用いることが接着剤の滲透性を考慮すると最も好ましい。
【考案の効果】
【００１４】
本考案によれば、パレットの端面に貼着されるラベルはパレットに塗布される接着剤層に接着したのちその上に接着剤を塗布して固化させているので、ラベルは接着剤層間に狭在されて固定される構成となり、その結果パレットの取り扱い時にパレットが互に擦れ合ってもラベルが剥離してしまうことが防がれ、長期にわたって正しい位置にラベルが貼着された状態を保つことができ、特にラベルは透水性を有するシート材により構成されているので、接着剤がラベルを透過して内外両接着剤が一体化され、接着剤層間に完全に埋設される形になるので一層強固に固定される効果を奏する。
【００１５】
またラベルの素材として不織布を用いた場合、パレットを温湯による洗浄を繰り返してもラベルの表面が接着剤層で覆われてあたかもコーティングされている状態を呈しているので毛羽立つことがなく、そこに表示されたバーコード等による識別データが読み取れなくなるという不具合いが生じず、誤読の発生も防がれる。
【００１６】
ラベルの接着に用いる接着剤に低粘度の水溶性エマルジヨンタイプのものを用いてもラベルの両面が接着剤で固定されるので強固に貼着することができながら接着剤の塗布にガンを用いることができ、高能率に貼着作業を行うことができる。加えて接着剤が低粘度のものであるため短時間で乾燥させることができ、この面においても高効率にラベルの貼着を行うことができる。
【００１７】
一方、ラベルの表面に塗布する接着剤につや消し剤を混入させれば、バーコード等の識別データが反射光により読み取れなくなることを防ぐことができ、誤りなくパレットの管理を行うことができる。
【考案を実施するための最良の形態】
【００１８】
図１は本考案によるラベル付きパレットの一実施形態を示すもので、このパレット１は公知のものと同様に木材、合成樹脂材などで構成され、上板１ａと下板１ｂとの間にフォークリフトのフォーク２，２を挿入し得る空間部３，３を有し、両端部には端部材４，４が設けられており、途中部には補強材５，５が介挿固着されている。
【００１９】
上記端部材４の外側面には図２に例示するように読み取り機等により読み取ってパレット１を識別するためのバーコード等による識別データ６が表示されたラベル７が貼着されている。
【００２０】
このラベル７は透水性を有するシート材からなっており、例えば不織布、紙、数多の細孔が群設されたプラスチックシート等が用いられている。
【００２１】
前記ラベル７の貼着には、図４に拡大断面を、図５に接着手順を模式的に示すように、パレット１の端部材４の外側面に１回目の接着剤８１を塗布し（図５（Ａ））、その上にラベル７を貼り（図５（Ｂ））、さらにその上に２回目の接着剤８２を塗布（図５（Ｃ））して固化させることにより固定させる。
【００２２】
上記接着に用いる接着剤８１、８２としては、粘度が４０００ｃｐ（センチポイド）程度の低粘度のもので、好ましくはエマルジヨンタイプの水溶性接着剤が用いられ、この接着剤８１、８２の塗布には吹き付け用のガンにより吹き付け施工される。
【００２３】
したがって上記のような接着剤８１、８２を用いてラベル７を貼着すると、１回目に塗布した接着剤８１がラベル７の表面側へ滲透し、２回目に塗布した接着剤８２と混和して一体化され、この状態で固化するのでラベル７はあたかも接着剤８１、８２層の内部に埋没された形態となって端部材４に対し極めて強固に一体化される（図４示）。
【００２４】
このようにパレット１の端部材４にラベル７が貼着されているので、パレット１の取り扱い時にパレット同士が接触したりパレット１と他の巻物とが接触してもラベル７の表面が直接接触することがなく、ラベル７に表示された識別データ６が損傷を受けて読み取り不能や誤読が発生することが防がれ、長期にわたり識別データ６の表示機能を失うことが防がれる。
【００２５】
また上記接着剤８１、８２は低粘度のものを用いることができるのでガン吹きにより塗布することができ、高能率に施工することができるうえ短時間に乾燥させることができる。
【００２６】
図６、図７は本考案の他の実施形態を示すもので、パレット１の端部材４の外側面にラベル７が嵌入し得る大きさの凹部９が形成され、この凹部９内にラベル７が貼着されている。
【００２７】
このラベル７の貼着に関しては前述の実施形態と同様にして固着されている。
【００２８】
すなわち前記凹部９内に１回目の接着剤８１を塗布し、その上にラベル７を重ねるようにして凹部９内に嵌入させ、さらにその上に２回目の接着剤８２を塗布して乾燥固化させる。
【００２９】
したがって図７に断面図として示しているようにラベル７はもとより２回目の接着剤８２層も凹部９内に位置し、これによりパレット１の取り扱い時に他のパレットや巻物にパレット１の端部が接触してもラベル７に影響を与えることが全く生じず、永年にわたり識別機能を全うすることができる。
【００３０】
なおラベル７は必要に応じパレット１の両端の端部材４，４に貼着することもある。
【００３１】
上記いずれの実施形態においても、２回目に塗布する接着剤中につや消し剤を混入して反射防止機能を与えることができる。
【図面の簡単な説明】
【００３２】
【図１】本考案によるラベル付きパレットの一実施形態を示す斜視図。
【図２】図１のパレットに貼着するラベルの一形態を示す平面図。
【図３】ラベルを貼着したパレットの端部を示す平面図。
【図４】同、ラベル部分の拡大断面図。
【図５】（Ａ）〜（Ｃ）はラベルの貼着手順を示す説明図。
【図６】本考案によるパレットの他の実施形態を示す要部の斜視図。
【図７】同、拡大断面図。
【符号の説明】
【００３３】
１  パレット
２  フォークリフトのフォーク
３  空間部
４  端部材
５  補強材
６  識別データ
７  ラベル
８１、８２  接着剤
９  凹部
【図１】
0003157653.tif 000003
【図２】
0003157653.tif 000004
【図３】
0003157653.tif 000005
【図４】
0003157653.tif 000006
【図５】
0003157653.tif 000007
【図６】
0003157653.tif 000008
【図７】
0003157653.tif 000009